(57)【要約】【課題】長期的な使用においても棚受の可動側部材の係合部と固定側部材の係合部とを確実に係合させることのできるショーケースの棚構造を提供する。【解決手段】可動側係合部材３２を可動側部材２２ｂに回動自在に支持し、可動側係合部３２ｂが自重によって固定側係合部３１との係合方向に回動するようにしたので、コイルバネや板バネ等の付勢部材または係合部材の弾性変形を用いることなく、可動側係合部材３２の自重によって固定側係合部３１と係合させることができ、長期的な使用においても確実に可動側係合部３２ｂと固定側係合部３１とを係合させることができる。【選択図】図６
2005110997.tif 000002
【特許請求の範囲】
【請求項１】
商品を載置する棚板と、棚板を前後方向に移動自在に支持する棚受と、棚受の可動側部材及び固定側部材にそれぞれ設けられた係合部とを備え、棚板を後方の所定位置まで移動すると固定側部材の係合部及び可動側部材の係合部が互いに係合し、一方の係合部を係合解除方向に動作させて他方の係合部との係合を解除することにより、棚板を前方に引き出し可能にしたショーケースの棚構造において、
前記一方の係合部を有する係合部材を棚受に回動自在に設け、
係合部材を自重によって他方の係合部との係合方向に回動するように構成した
ことを特徴とするショーケースの棚構造。
【請求項２】
前記係合部材を係合方向に付勢する付勢手段を備えた
ことを特徴とする請求項１記載のショーケースの棚構造。
【請求項３】
前記付勢手段をコイルバネによって構成した
ことを特徴とする請求項２記載のショーケースの棚構造。
【請求項４】
前記付勢手段を板バネによって構成した
ことを特徴とする請求項２記載のショーケースの棚構造。
【発明の詳細な説明】
【技術分野】
【０００１】
本発明は、冷凍または冷蔵の商品を陳列するショーケースの棚構造に関するものである。
【背景技術】
【０００２】
従来、この種のショーケースの棚構造としては、ショーケース本体の前後方向に移動自在に設けられた商品棚を備え、商品棚を前方に引出すことにより、例えば先に陳列されている商品の後方に新たな商品を補充できるようにしたものが知られている。
【０００３】
また、前記ショーケースの棚構造では、商品棚を支持する棚受の可動側部材及び固定側部材に互いに係合可能な一対の係合部を設け、可動側部材に設けた係合部材の係合部を係合部材の弾性変形によって固定側部材の係合部と係合するようにしたものや、可動側部材に回動自在に設けた係合部材の係合部を係合部材のバネ付勢によって固定側部材の係合部と係合するようにしたものが知られている（例えば、特許文献１参照）。
【特許文献１】特開平１１−２４１８８０号公報
【発明の開示】
【発明が解決しようとする課題】
【０００４】
しかしながら、係合部材を弾性変形させるようにしたものでは、長期的な使用により弾性変形する係合部が塑性変形し、可動側部材の係合部と固定側部材の係合部とが係合されなくなるという問題点があった。
【０００５】
また、係合部材をバネ付勢によって係合させるようにしたものでは、長期的な使用による金属疲労でバネが機能しなくなったり、外的な衝撃が加わることにより、バネが脱落するという問題点があった。
【０００６】
本発明は前記問題点に鑑みてなされたものであり、その目的とするところは、長期的な使用においても棚受の可動側部材の係合部と固定側部材の係合部とを確実に係合させることのできるショーケースの棚構造を提供することにある。
【課題を解決するための手段】
【０００７】
本発明は前記目的を達成するために、商品を載置する棚板と、棚板を前後方向に移動自在に支持する棚受と、棚受の可動側部材及び固定側部材にそれぞれ設けられた係合部とを備え、棚板を後方の所定位置まで移動すると固定側部材の係合部及び可動側部材の係合部が互いに係合し、一方の係合部を係合解除方向に動作させて他方の係合部との係合を解除することにより、棚板を前方に引き出し可能にしたショーケースの棚構造において、前記一方の係合部を有する係合部材を棚受に回動自在に設け、係合部材を自重によって他方の係合部との係合方向に回動するように構成している。これにより、係合部材を自重によって他方の係合部との係合方向に回動するようにしていることから、コイルバネや板バネ等の付勢部材または係合部材の弾性変形を用いることなく、係合部を有する係合部材の自重によって固定側係合部と係合させることが可能となる。
【発明の効果】
【０００８】
本発明によれば、コイルバネや板バネ等の付勢部材または係合部材の弾性変形を用いることなく、一方の係合部を有する係合部材の自重によって他方の係合部と係合させることができるので、長期的な使用においても常に確実に一方の係合部と他方の係合部とを係合させることができる。
【発明を実施するための最良の形態】
【０００９】
図１乃至図７は本発明の第１の実施形態を示すもので、図１はショーケースの全体斜視図、図２は商品棚の斜視図、図３は商品棚の棚板を引出した状態を示す斜視図、図４は棚受の斜視図、図５は棚板を引出した状態の棚受の斜視図、図６及び図７は商品棚の動作を示す側面図である。
【００１０】
このショーケースは、前面を開口したショーケース本体１０と、ショーケース本体１０に上下複数段に配置された商品棚２０とから構成されている。
【００１１】
ショーケース本体１０は内側に商品収納部１１を有し、商品収納部１１内は図示しない冷却装置によって冷却されるようになっている。また、商品収納部１１内には各商品棚２０を支持するための上下方向に延びる左右一対の棚柱１２が設けられ、各棚柱１２には多数の取付孔１２ａが上下方向に間隔をおいて設けられている。
【００１２】
各商品棚２０は、商品を載置する棚板２１と、棚板２１の左右両端を支持する一対の棚受２２と、棚板２１の前方への移動を規制する一対のロック機構３０とから構成されている。棚板２１は商品の落下を防止するための棚ガード２１ａが周端側に配置され、前端側にはプライスカード等を保持するカード保持部２１ｂが設けられている。各棚受２２は、ショーケース本体１０に取付けられる固定側部材２２ａと、棚板２１に固定され前後方向に移動する可動側部材２２ｂからなり、可動側部材２２ｂは周知のスライドレール２２ｃを介して固定側部材２２ａに連結されている。また、固定側部材２２ａの後端側には、棚柱１２の取付孔１２ａに係合する係合片２２ｄが設けられ、係合片２２ｄによって商品棚２０が商品収納部１１内の任意の高さ位置に取付けられるようになっている。
【００１３】
各ロック機構３０は、各固定側部材２２ａに設けられた固定側係合部３１と、各可動側部材２２ｂに設けられた可動側係合部材３２とからなり、各可動側係合部材３２には、各ロック機構３０を操作する操作部３２ａがそれぞれ設けられている。各固定側係合部３１は各固定側部材２２ａの上端の前端側の一部をそれぞれ左右方向の内側に屈曲させ、その一部を切欠くことにより設けられている。各可動側係合部材３２は、前後方向に延びる板状の部材からなり、前端側は下方に屈曲されることにより、操作部３２ａを形成している。可動側係合部材３２の後端側は斜め前方を臨むように上方に屈曲されることにより、可動側係合部３２ｂを形成している。また、可動側係合部材３２は、後端側を支軸３２ｃを介して可動側部材２２ｂの前端側に上下方向に回動自在に連結され、支軸３２ｃの後端側が上方にクランク状に屈曲するように形成されている。このとき、支軸３２ｃは可動側係合部材３２の後端側に設けられていることから、自重によって可動側係合部材３２の前端側が下方に回動するようになっている。
【００１４】
以上のように構成されたショーケースの棚構造においては、棚板２１を後方に移動すると、可動側係合部材３２の可動側係合部３２ｂが固定側部材２２ａの上面部材の下面に当接しながら後方に移動し、可動側係合部３２ｂが固定側係合部３１と係合することにより、棚板２１の前方への移動が規制される。また、棚板２１を前方に引出す場合は、図６に示すように、可動側係合部材３２の操作部３２ａを上方へ押上げることにより、可動側係合部３２ｂが下方に回動して、固定側係合部３１との係合が解除され、図７に示すように、棚板２１を前方への移動が可能となる。
【００１５】
このように、本実施形態の棚構造によれば、可動側係合部材３２を可動側部材２２ｂに回動自在に支持し、可動側係合部３２ｂが自重によって固定側係合部３１との係合方向に回動するようにしたので、コイルバネや板バネ等の付勢部材または係合部材の弾性変形を用いることなく、可動側係合部材３２の自重によって固定側係合部３１と係合させることができ、長期的な使用においても確実に可動側係合部３２ｂと固定側係合部３１とを係合させることができる。
【００１６】
図８及び図９は本発明の第２のの実施形態を示すもので、図８はロック機構にコイルバネを巻回した棚受の斜視図、図９はロック機構にコイルバネを巻き回した商品棚の側面図である。尚、第１の実施形態と同等の構成部分には同一の符号を付して示す。
【００１７】
本実施形態では、支軸３２ｃにコイルバネ３２ｄを巻き回すことにより、可動側係合部材３２を固定側係合部３１との係合方向に付勢するようにしている。
【００１８】
本実施形態の構成においては、棚板２１を後方へ移動すると、前記実施形態と同様、可動側係合部材３２の可動側係合部３２ｂが固定側部材２２ａの上面部材の下面に当接しながら後方に移動し、可動側係合部３２ｂが固定側係合部３１と係合することにより、棚板２１の前方への移動が規制される。また、棚板２１を前方に引出す場合は、可動側係合部材３２の操作部３２ａを上方へ押上げることにより、可動側係合部３２ｂが下方に回動され、固定側係合部３１との係合が解除され、棚板２１を前方への移動が可能となる。
【００１９】
このように、本実施形態によれば、可動側係合部材３２を可動側部材２２ｂに回動自在に支持し、可動側係合部３２ｂが自重及びコイルバネ３２ｄによって固定側係合部３１との係合方向に回動するようにしたので、可動側係合部材３２の自重及びコイルバネ３２ｄによって固定側係合部３１と係合させることができ、可動側係合部３２ｂと固定側係合部３１との係合動作を更に確実に行うことができる。
【００２０】
図１０及び図１１は本発明の第３のの実施形態を示すもので、図１０はロック機構に板バネを取付けた棚受の斜視図、図１１はロック機構に板バネを取付けた商品棚の側面図である。尚、第１の実施形態と同等の構成部分には同一の符号を付して示す。
【００２１】
本実施形態では、ロック機構３０に板バネ３２ｅを取付けることにより、可動側係合部材３２を固定側係合部３１との係合方向に付勢するようにしている。
【００２２】
本実施形態の構成においては、棚板２１を後方へ移動すると、前記実施形態と同様、可動側係合部材３２の可動側係合部３２ｂが固定側部材２２ａの上面部材の下面に当接しながら後方に移動し、可動側係合部３２ｂが固定側係合部３１と係合することにより、棚板２１の前方への移動が規制される。また、棚板２１を前方に引出す場合は、可動側係合部材３２の操作部３２ａを上方へ押上げることにより、可動側係合部３２ｂが下方に回動され、固定側係合部３１との係合が解除され、棚板２１を前方への移動が可能となる。
【００２３】
このように、本実施形態によれば、可動側係合部材３２を可動側部材２２ｂに回動自在に支持し、可動側係合部３２ｂが自重及び板バネ３２ｅによって固定側係合部３１との係合方向に回動するようにしたので、可動側係合部材３２の自重及び板バネ３２ｅによって固定側係合部３１と係合させることができ、可動側係合部３２ｂと固定側係合部３１との係合動作を更に確実に行うことができる。
【図面の簡単な説明】
【００２４】
【図１】本発明の第１の実施形態を示すショーケースの全体斜視図
【図２】商品棚の斜視図
【図３】商品棚の棚板を引出した状態を示す斜視図
【図４】棚受の斜視図
【図５】棚板を引出した状態の棚受の斜視図
【図６】商品棚の動作を示す側面図
【図７】商品棚の動作を示す側面図
【図８】本発明の第２の実施形態を示すロック機構にコイルバネを巻き回した棚受の斜視図
【図９】ロック機構にコイルバネを巻き回した商品棚の側面図
【図１０】本発明の第３の実施形態を示すロック機構に板バネを取付けた棚受の斜視図
【図１１】ロック機構に板バネを取付けた商品棚の側面図
【符号の説明】
【００２５】
１０…ショーケース本体、２０…商品棚、２１…棚板、２２…棚受、２２ａ…固定側部材、２２ｂ…可動側部材、３０…ロック機構、３１…固定側係合部、３２…可動側係合部、３２ｂ…可動側係合部、３２ｄ…コイルバネ、３２ｅ…板バネ。
【図１】
2005110997.tif 000003
【図２】
2005110997.tif 000004
【図３】
2005110997.tif 000005
【図４】
2005110997.tif 000006
【図５】
2005110997.tif 000007
【図６】
2005110997.tif 000008
【図７】
2005110997.tif 000009
【図８】
2005110997.tif 000010
【図９】
2005110997.tif 000011
【図１０】
2005110997.tif 000012
【図１１】
2005110997.tif 000013